(57)【要約】  【課題】  種々の水質基準に合わせて外部に放流する処理排水の水質を変更することが可能であり、この結果、エネルギーの浪費を抑制できる排水の処理装置を提供する。  【解決手段】  曝気槽１０と、固液分離槽２０と、放流槽３０とを有し、これらは前記順序で流路により連結しており、曝気槽１０において、処理対象である排水が導入されて微生物により曝気処理され、固液分離槽２０において、曝気処理された排水が導入されて汚泥と処理排水とに固液分離され、放流槽３０において、処理排水が導入された後、放流槽３０から処理排水が外部に放流され、さらに、曝気槽１０と放流槽３０とがバイパス流路により連結され、このバイパス流路により、曝気槽導入前の排水及び曝気処理中の排水の少なくとも一方の一部又は全部が、放流槽３０における処理排水に供給されて混合されることにより、外部に放流される処理排水の水質が調整される水質調整手段を有する。【選択図】  図１
2006255504.tif 000002
【特許請求の範囲】
【請求項１】
排水の処理方法であって、処理対象である排水を曝気槽に導入して微生物により曝気処理する曝気工程と、曝気処理した前記排水を固液分離槽に導入して汚泥と処理排水とに固液分離する固液分離工程と、前記処理排水を放流槽に導入した後、前記処理排水を外部に放流する放流工程とを有し、さらに、曝気槽導入前の前記排水および曝気処理中の前記排水の少なくとも一方の一部若しくは全部を、前記放流工程における前記処理排水に供給して混合することにより、外部に放流する前記処理排水の水質を調整する水質調整工程を有する排水の処理方法。
【請求項２】
前記水質の調整の指標が、浮遊物質（ＳＳ）および生物化学的酸素要求量（ＢＯＤ）の少なくとも一方である請求項１記載の排水の処理方法。
【請求項３】
外部に放流する前記処理排水の浮遊物質（ＳＳ）の基準値および生物化学的酸素要求量（ＢＯＤ）の基準値を予め設定し、前記放流工程において、前記処理排水中の浮遊物質（ＳＳ）および生物化学的酸素要求量（ＢＯＤ）の少なくとも一方を検出し、この検出値若しくはこれらの検出値と、前記基準値とを比較して、前記水質調整工程における曝気槽導入前の前記排水および曝気処理中の前記排水の少なくとも一方の供給割合を決定する請求項１記載の排水の処理方法。
【請求項４】
外部に放流する前記処理排水の浮遊物質の基準値（ＳＳBase）、生物化学的酸素要求量の基準値（ＢＯＤBase）および排出流量（Ｆ2）を予め決めておき、前記曝気工程において、曝気槽における前記排水中の浮遊物質（ＭＬＳＳ）および生物化学的酸素要求量（ＢＯＤ１）を検出し、前記固液分離工程において、固液分離槽における前記処理排水中の浮遊物質（ＳＳ１）を検出し、前記放流工程において、放流槽における前記処理排水中の生物化学的酸素要求量（ＢＯＤ２）を検出し、前記各基準値および前記各検出により得られた検出値から、下記式（１）および（２）を用い、前記水質調整工程において、曝気槽導入前の前記排水および曝気処理中の前記排水の少なくとも一方の一部若しくは全部の２つの供給量（Ｆ1SS、Ｆ1BOD）を求め、前記２つの供給量のうち小さい方を採用し、この採用された供給量に基き、外部に放流する前記処理排水の水質を調整する請求項１記載の排水の処理方法。
Ｆ1SS＝｛（ＳＳBase−ＳＳ１）×Ｆ2｝／(ＭＬＳＳ−ＳＳ１)      ・・・（１）
Ｆ1SS：曝気槽から放流槽への排水の供給量（ｍ3／日）
ＭＬＳＳ：曝気槽における排水中の浮遊物質の検出値（ｍｇ／Ｌ）
ＳＳ１：固液分離槽における処理排水中の浮遊物質の検出値（ｍｇ／Ｌ）
ＳＳBase：予め決めておいた外部に放流する処理排水の浮遊物質の基準値（ｍｇ／Ｌ）
Ｆ2：予め決めておいた外部に放流する処理排水の排出流量（ｍ3／日）
Ｆ1BOD＝｛（ＢＯＤBase−ＢＯＤ２）×Ｆ2｝／(ＢＯＤ１−ＢＯＤ２)      ・・・（２）
Ｆ1BOD：曝気槽から放流槽への排水の供給量（ｍ3／日）
ＢＯＤ１：曝気槽における排水中の生物化学的酸素要求量の検出値（ｍｇ／Ｌ）
ＢＯＤ２：放流槽における処理排水中の生物化学的酸素要求量の検出値（ｍｇ／Ｌ）
ＢＯＤBase：予め決めておいた外部に放流する処理排水の生物化学的酸素要求量の基準値（ｍｇ／Ｌ）
Ｆ2：予め決めておいた外部に放流する処理排水の排出流量（ｍ3／日）
【請求項５】
前記２つの浮遊物質（ＭＬＳＳ、ＳＳ１）および前記２つの生物化学的酸素要求量（ＢＯＤ１、ＢＯＤ２）のいずれか一方のみを検出し、前記２つの供給量（Ｆ1SS、Ｆ1BOD）のいずれか一方のみを算出し、この算出された供給量に基き、外部に放流する前記処理排水の水質を調整する請求項４記載の排水の処理方法。
【請求項６】
前記２つの生物化学的酸素要求量（ＢＯＤ１、ＢＯＤ２）が、前記曝気槽および前記放流槽において溶存酸素量（ＤＯ）を検出し、前記検出値を生物化学的酸素要求量（ＢＯＤ１、ＢＯＤ２）に換算した値である請求項４記載の排水の処理方法。
【請求項７】
前記固液分離工程において、前記汚泥の一部は、前記曝気工程に返送され、前記汚泥の残部は、余剰汚泥として処理され、前記曝気工程において、曝気槽における曝気処理中の前記排水の浮遊物質の基準値（ＭＬＳＳBase）を予め設定し、かつ曝気処理中の前記排水の浮遊物質（ＭＬＳＳ）を検出し、この検出値と前記基準値とを比較することにより、前記固液分離工程における余剰汚泥の処理量を決定する請求項１記載の排水の処理方法。
【請求項８】
前記曝気工程において、曝気槽における生物化学的酸素要求量の基準値（ＢＯＤ１Base）を予め設定し、かつ曝気処理中の前記排水の生物化学的酸素要求量（ＢＯＤ１）を検出し、この検出値と前記基準値とを比較することにより、前記曝気工程における曝気量を調整する請求項１記載の排水の処理方法。
【請求項９】
前記曝気工程において、前記曝気槽を複数に分割することによって曝気処理中の前記排水を曝気処理程度により分け、前記水質調整工程において、前記分割された曝気槽の少なくとも一つから曝気処理中の前記排水を前記放流工程における前記処理排水に供給する請求項１記載の排水の処理方法。
【請求項１０】
排水の処理装置であって、少なくとも、曝気槽と、固液分離槽と、放流槽とを有し、これらは前記順序で流路により連結され、前記曝気槽において、処理対象である排水が導入されて微生物により曝気処理され、前記固液分離槽において、曝気処理された前記排水が導入されて汚泥と処理排水とに固液分離され、前記放流槽において、前記処理排水が導入された後、前記放流槽から前記処理排水が外部に放流され、さらに、前記曝気槽と前記放流槽とがバイパス流路により連結されており、このバイパス流路により、曝気槽導入前の前記排水および曝気処理中の前記排水の少なくとも一方の一部若しくは全部が、前記放流槽における前記処理排水に供給されて混合されることにより、外部に放流される前記処理排水の水質が調整される水質調整手段を有する排水の処理装置。
【請求項１１】
前記水質の調整の指標が、浮遊物質（ＳＳ）および生物化学的酸素要求量（ＢＯＤ）の少なくとも一方である請求項１０記載の排水の処理装置。
【請求項１２】
前記放流槽が、前記処理排水中の浮遊物質（ＳＳ）および生物化学的酸素要求量（ＢＯＤ）の少なくとも一方を検出する検出手段を有し、前記水質調整手段は、前記検出手段で検出された検出値と、予め設定された外部に放流する前記処理排水の浮遊物質（ＳＳ）の基準値および生物化学的酸素要求量（ＢＯＤ）の基準値とを比較して、曝気槽導入前の前記排水および曝気処理中の前記排水の少なくとも一方の供給割合を決定する請求項１０記載の排水の処理装置。
【請求項１３】
前記曝気槽が、曝気槽における前記排水中の浮遊物質（ＭＬＳＳ）および生物化学的酸素要求量（ＢＯＤ１）を検出する検出手段を有し、前記固液分離槽が、固液分離槽における前記処理排水中の浮遊物質（ＳＳ１）を検出する検出手段を有し、前記放流槽が、放流槽における前記処理排水中の生物化学的酸素要求量（ＢＯＤ２）を検出する検出手段を有し、前記水質調整手段は、予め設定された外部に放流する前記処理排水の浮遊物質の基準値（ＳＳBase）、生物化学的酸素要求量の基準値（ＢＯＤBase）および排出流量（Ｆ2）と、前記各検出手段で検出された検出値とから、下記式（１）および（２）を用い、曝気槽導入前の前記排水および曝気処理中の前記排水の少なくとも一方の一部若しくは全部の２つの供給量（Ｆ1SS、Ｆ1BOD）を求め、前記２つの供給量のうち小さい方を採用し、この採用された供給量に基き、外部に放流する前記処理排水の水質を調整する請求項１０記載の排水の処理装置。
Ｆ1SS＝｛（ＳＳBase−ＳＳ１）×Ｆ2｝／(ＭＬＳＳ−ＳＳ１)      ・・・（１）
Ｆ1SS：曝気槽から放流槽への排水の供給量（ｍ3／日）
ＭＬＳＳ：曝気槽における排水中の浮遊物質の検出値（ｍｇ／Ｌ）
ＳＳ１：固液分離槽における処理排水中の浮遊物質の検出値（ｍｇ／Ｌ）
ＳＳBase：予め決めておいた外部に放流する処理排水の浮遊物質の基準値（ｍｇ／Ｌ）
Ｆ2：予め決めておいた外部に放流する処理排水の排出流量（ｍ3／日）
Ｆ1BOD＝｛（ＢＯＤBase−ＢＯＤ２）×Ｆ2｝／(ＢＯＤ１−ＢＯＤ２)      ・・・（２）
Ｆ1BOD：曝気槽から放流槽への排水の供給量（ｍ3／日）
ＢＯＤ１：曝気槽における排水中の生物化学的酸素要求量の検出値（ｍｇ／Ｌ）
ＢＯＤ２：放流槽における処理排水中の生物化学的酸素要求量の検出値（ｍｇ／Ｌ）
ＢＯＤBase：予め決めておいた外部に放流する処理排水の生物化学的酸素要求量の基準値（ｍｇ／Ｌ）
Ｆ2：予め決めておいた外部に放流する処理排水の排出流量（ｍ3／日）
【請求項１４】
前記水質調整手段は、前記２つの浮遊物質（ＭＬＳＳ、ＳＳ１）および前記２つの生物化学的酸素要求量（ＢＯＤ１、ＢＯＤ２）のいずれか一方のみを検出し、前記２つの供給量（Ｆ1SS、Ｆ1BOD）のいずれか一方のみを算出し、この算出された供給量に基き、外部に放流する前記処理排水の水質を調整する請求項１３記載の排水の処理装置。
【請求項１５】
前記２つの生物化学的酸素要求量（ＢＯＤ１、ＢＯＤ２）の検出手段が、前記曝気槽および前記放流槽において溶存酸素量（ＤＯ）を検出し、前記検出値を生物化学的酸素要求量（ＢＯＤ１、ＢＯＤ２）に換算する手段である請求項１３記載の排水の処理装置。
【請求項１６】
前記バイパス流路の途中にバイパス流量調整弁が取り付けられており、前記水質調整手段は、曝気槽導入前の前記排水および曝気処理中の前記排水の少なくとも一方の供給割合を、前記バイパス流量調整弁で調整する請求項１０記載の排水の処理装置。
【請求項１７】
前記曝気槽と前記固液分離槽とが返送流路によっても連結され、前記固液分離槽には、余剰汚泥の抜き取り流路が連結され、前記固液分離槽において、前記汚泥の一部は、前記返送流路により前記曝気槽に返送され、前記汚泥の残部は、前記余剰汚泥抜き取り流路により抜き取られ、前記曝気槽が、曝気処理中の前記排水の浮遊物質（ＭＬＳＳ）を検出する検出手段を有し、前記水質調整手段は、予め設定された曝気槽における曝気処理中の前記排水の浮遊物質の基準値（ＭＬＳＳBase）と、前記検出手段で検出された検出値とを比較することにより、前記固液分離槽における余剰汚泥の抜き取り量を決定する請求項１０記載の排水の処理装置。
【請求項１８】
前記曝気槽が、曝気処理中の前記排水の生物化学的酸素要求量（ＢＯＤ１）を検出する検出手段を有し、前記水質調整手段は、予め設定された曝気槽における生物化学的酸素要求量の基準値（ＢＯＤ１Base）と、前記検出手段により検出された検出値とを比較することにより、前記曝気槽における曝気量を調整する請求項１０記載の排水の処理装置。
【請求項１９】
前記曝気槽が複数に分割され、これにより曝気処理中の前記排水を曝気処理程度により分けており、前記水質調整手段は、前記分割された曝気槽の少なくとも一つから曝気処理中の前記排水を前記放流槽における前記処理排水に供給する請求項１０記載の排水の処理装置。
【請求項２０】
さらに、浮遊物質（ＳＳ）および生物化学的酸素要求量（ＢＯＤ）の検出手段を備える測定槽を有し、この測定槽に、前記曝気槽における曝気処理中の前記排水、前記固液分離槽における前記処理排水および前記放流槽における前記処理排水の少なくとも一つの排水が導入され、前記測定槽の前記検出手段により、前記測定槽に導入された前記排水の浮遊物質（ＳＳ）および生物化学的酸素要求量（ＢＯＤ）の少なくとも一方を検出する請求項１３記載の排水の処理装置。
【発明の詳細な説明】
【技術分野】
【０００１】
本発明は、排水の処理方法および排水の処理装置に関する。
【背景技術】
【０００２】
現在、多くの排水処理装置においては、好気性生物処理によって排水の浄化が行われている。これは、前記好気性生物処理が微生物の代謝作用を利用するため、処理効率が高く、経済的であるからである。つぎに、前記好気性生物処理について説明する。
【０００３】
先ず、排水は、曝気槽へと連続的に供給され、そこで好気性微生物の集団と接触する。これにより、排水の基質（ＢＯＤ成分）は、前記好気性微生物の集団によって酸化分解される。この好気性微生物の集団は、一般に「活性汚泥」と呼ばれる。前記曝気槽で処理された排水は、前記好気性微生物の集団と共に固液分離槽に流入する。
【０００４】
前記固液分離槽では、前記好気性微生物の集団は、凝集してフロックとなり、沈降する。一方、上澄み（処理排水）は外部に放流される。前記固液分離槽に沈降した好気性微生物の集団、即ち、汚泥は、返送流路を介して前記曝気槽に返送され（返送汚泥）、再び基質（ＢＯＤ成分）の酸化分解を行う。
【０００５】
但し、前記好気性微生物は増殖するため、前記汚泥を全て返送すると、前記曝気槽で酸素不足となったり、前記固液分離槽で固液分離が困難になったりする。このため、増殖した分は、余剰汚泥として系外に取り出される（例えば、特許文献１、２参照）。
【特許文献１】特開２００２−２１９４８１号公報
【特許文献２】特開２００４−３３７８１１号公報
【発明の開示】
【発明が解決しようとする課題】
【０００６】
しかしながら、前述のような従来の排水処理装置では、外部に放流する処理排水の水質を、例えば、下水道への流入水の水質基準や、河川放流水の水質基準など、種々の水質基準に合わせて変更することは困難であり、曝気等の処理を過剰に行うことでエネルギーを浪費するという問題があった。
【０００７】
そこで、本発明の目的は、種々の水質基準に合わせて外部に放流する処理排水の水質を調整することが可能であり、この結果、曝気に使用するブロア・モータ等のエネルギーの浪費を抑制できる排水の処理方法および排水の処理装置を提供することである。
【課題を解決するための手段】
【０００８】
前記目的を達成するために、本発明の処理方法は、排水の処理方法であって、処理対象である排水を曝気槽に導入して微生物により曝気処理する曝気工程と、曝気処理した前記排水を固液分離槽に導入して汚泥と処理排水とに固液分離する固液分離工程と、前記処理排水を放流槽に導入した後、前記処理排水を外部に放流する放流工程とを有し、さらに、曝気槽導入前の前記排水および曝気処理中の前記排水の少なくとも一方の一部若しくは全部を、前記放流工程における前記処理排水に供給して混合することにより、外部に放流する前記処理排水の水質を調整する水質調整工程を有する処理方法である。
【０００９】
また、本発明の処理装置は、排水の処理装置であって、少なくとも、曝気槽と、固液分離槽と、放流槽とを有し、これらは前記順序で流路により連結され、前記曝気槽において、処理対象である排水が導入されて微生物により曝気処理され、前記固液分離槽において、曝気処理された前記排水が導入されて汚泥と処理排水とに固液分離され、前記放流槽において、前記処理排水が導入された後、前記放流槽から前記処理排水が外部に放流され、さらに、前記曝気槽と前記放流槽とがバイパス流路により連結されており、このバイパス流路により、曝気槽導入前の前記排水および曝気処理中の前記排水の少なくとも一方の一部若しくは全部が、前記放流槽における前記処理排水に供給されて混合されることにより、外部に放流される前記処理排水の水質が調整される水質調整手段を有する処理装置である。
【発明の効果】
【００１０】
このように、本発明の処理方法および処理装置では、曝気槽導入前の排水および曝気処理中の排水の少なくとも一方の一部若しくは全部を、放流工程若しくは放流槽における処理排水に供給して混合することできるから、外部に放流する処理排水の水質を調整することが可能である。従って、種々の水質基準に合わせて外部に放流する処理排水の水質を調整することが可能であり、この結果、曝気に使用するブロア・モータ等のエネルギーの浪費を抑制できる。また、本発明の処理方法および処理装置は、既存の排水処理装置にバイパス流路を付加するだけでよいので安価で後付けが可能である。
【発明を実施するための最良の形態】
【００１１】
本発明の処理方法において、前記水質の調整の指標は、特に制限されず、例えば、浮遊物質（ＳＳ）、生物化学的酸素要求量（ＢＯＤ）、化学的酸素要求量（ＣＯＤ）、全有機炭素（ＴＯＣ）、全窒素（Ｔ−Ｎ）、全リン（Ｔ−Ｐ）、ｎ−ヘキサン抽出物質などが挙げられる。これらの中でも、浮遊物質（ＳＳ）、生物化学的酸素要求量（ＢＯＤ）が好ましい。なお、前記水質の調整の指標は、１種類であってもよいし、２種類以上であってもよい。
【００１２】
本発明の処理方法において、外部に放流する前記処理排水の浮遊物質（ＳＳ）の基準値および生物化学的酸素要求量（ＢＯＤ）の基準値を予め設定し、前記放流工程において、前記処理排水中の浮遊物質（ＳＳ）および生物化学的酸素要求量（ＢＯＤ）の少なくとも一方を検出し、この検出値若しくはこれらの検出値と、前記基準値とを比較して、前記水質調整工程における曝気槽導入前の前記排水および曝気処理中の前記排水の少なくとも一方の供給割合を決定することが好ましい。
【００１３】
本発明の処理方法において、外部に放流する前記処理排水の浮遊物質の基準値（ＳＳBase）、生物化学的酸素要求量の基準値（ＢＯＤBase）および排出流量（Ｆ2）を予め決めておき、前記曝気工程において、曝気槽における前記排水中の浮遊物質（ＭＬＳＳ）および生物化学的酸素要求量（ＢＯＤ１）を検出し、前記固液分離工程において、固液分離槽における前記処理排水中の浮遊物質（ＳＳ１）を検出し、前記放流工程において、放流槽における前記処理排水中の生物化学的酸素要求量（ＢＯＤ２）を検出し、下記式（１）および（２）を用い、前記水質調整工程において、曝気槽導入前の前記排水および曝気処理中の前記排水の少なくとも一方の一部若しくは全部の２つの供給量（Ｆ1SS、Ｆ1BOD）を求め、前記２つの供給量のうち小さい方を採用し、この採用された供給量に基き、外部に放流する前記処理排水の水質を調整することが好ましい。
Ｆ1SS＝｛（ＳＳBase−ＳＳ１）×Ｆ2｝／(ＭＬＳＳ−ＳＳ１)      ・・・（１）
Ｆ1SS：曝気槽から放流槽への排水の供給量（ｍ3／日）
ＭＬＳＳ：曝気槽における排水中の浮遊物質の検出値（ｍｇ／Ｌ）
ＳＳ１：固液分離槽における処理排水中の浮遊物質の検出値（ｍｇ／Ｌ）
ＳＳBase：予め決めておいた外部に放流する処理排水の浮遊物質の基準値（ｍｇ／Ｌ）
Ｆ2：予め決めておいた外部に放流する処理排水の排出流量（ｍ3／日）
Ｆ1BOD＝｛（ＢＯＤBase−ＢＯＤ２）×Ｆ2｝／(ＢＯＤ１−ＢＯＤ２)      ・・・（２）
Ｆ1BOD：曝気槽から放流槽への排水の供給量（ｍ3／日）
ＢＯＤ１：曝気槽における排水中の生物化学的酸素要求量の検出値（ｍｇ／Ｌ）
ＢＯＤ２：放流槽における処理排水中の生物化学的酸素要求量の検出値（ｍｇ／Ｌ）
ＢＯＤBase：予め決めておいた外部に放流する処理排水の生物化学的酸素要求量の基準値（ｍｇ／Ｌ）
Ｆ2：予め決めておいた外部に放流する処理排水の排出流量（ｍ3／日）
【００１４】
本発明の処理方法において、前記２つの浮遊物質（ＭＬＳＳ、ＳＳ１）および前記２つの生物化学的酸素要求量（ＢＯＤ１、ＢＯＤ２）のいずれか一方のみを検出し、前記２つの供給量（Ｆ1SS、Ｆ1BOD）のいずれか一方のみを算出し、この算出された供給量に基づき、外部に放流する前記処理排水の水質を調整してもよい。
【００１５】
本発明の処理方法において、前記２つの生物化学的酸素要求量（ＢＯＤ１、ＢＯＤ２）は、前記曝気槽および前記放流槽において溶存酸素量（ＤＯ）を検出し、前記検出値を生物化学的酸素要求量（ＢＯＤ１、ＢＯＤ２）に換算した値であることが好ましい。
【００１６】
本発明の処理方法では、前記固液分離工程において、前記汚泥の一部は、前記曝気工程に返送され、前記汚泥の残部は、余剰汚泥として処理され、前記曝気工程において、曝気槽における曝気処理中の前記排水の浮遊物質の基準値（ＭＬＳＳBase）を予め設定し、かつ曝気処理中の前記排水の浮遊物質（ＭＬＳＳ）を検出し、この検出値と前記基準値とを比較することにより、前記固液分離工程における余剰汚泥の処理量を決定することが好ましい。
【００１７】
本発明の処理方法では、前記曝気工程において、曝気槽における生物化学的酸素要求量の基準値（ＢＯＤ１Base）を予め設定し、かつ曝気処理中の前記排水の生物化学的酸素要求量（ＢＯＤ１）を検出し、この検出値と前記基準値とを比較することにより、前記曝気工程における曝気量を調整することが好ましい。前記曝気量は、例えば、後述のブロア・モータの出力によって調整される。前記曝気量が、前記ブロア・モータの出力によって調整される場合には、例えば、前記ブロア・モータの連続運転や間欠運転によって調整することが可能である。
【００１８】
本発明の処理方法では、前記曝気工程において、前記曝気槽を複数に分割することによって曝気処理中の前記排水を曝気処理程度により分け、前記水質調整工程において、前記分割された曝気槽の少なくとも一つから曝気処理中の前記排水を前記放流工程における前記処理排水に供給してもよい。
【００１９】
本発明の処理装置において、前記水質の調整の指標は、前述と同様に、特に制限されず、例えば、浮遊物質（ＳＳ）、生物化学的酸素要求量（ＢＯＤ）、化学的酸素要求量（ＣＯＤ）、全有機炭素（ＴＯＣ）、全窒素（Ｔ−Ｎ）、全リン（Ｔ−Ｐ）、ｎ−ヘキサン抽出物質などが挙げられる。これらの中でも、浮遊物質（ＳＳ）、生物化学的酸素要求量（ＢＯＤ）が好ましい。なお、前記水質の調整の指標は、１種類であってもよいし、２種類以上であってもよい。
【００２０】
本発明の処理装置において、前記放流槽は、前記処理排水中の浮遊物質（ＳＳ）および生物化学的酸素要求量（ＢＯＤ）の少なくとも一方を検出する検出手段を有し、前記水質調整手段は、前記検出手段で検出された検出値と、予め設定された外部に放流する前記処理排水の浮遊物質（ＳＳ）の基準値および生物化学的酸素要求量（ＢＯＤ）の基準値とを比較して、曝気槽導入前の前記排水および曝気処理中の前記排水の少なくとも一方の供給割合を決定することが好ましい。
【００２１】
本発明の処理装置において、前記曝気槽は、曝気槽における前記排水中の浮遊物質（ＭＬＳＳ）および生物化学的酸素要求量（ＢＯＤ１）を検出する検出手段を有し、前記固液分離槽は、この固液分離槽における前記処理排水中の浮遊物質（ＳＳ１）を検出する検出手段を有し、前記放流槽は、放流槽における前記処理排水中の生物化学的酸素要求量（ＢＯＤ２）を検出する検出手段を有し、前記水質調整手段は、前述と同様に、予め設定された外部に放流する前記処理排水の浮遊物質の基準値（ＳＳBase）、生物化学的酸素要求量の基準値（ＢＯＤBase）および排出流量（Ｆ2）と、前記各検出手段で検出された検出値とから、下記式（１）および（２）を用い、曝気槽導入前の前記排水および曝気処理中の前記排水の少なくとも一方の少なくとも一部若しくは全部の２つの供給量（Ｆ1SS、Ｆ1BOD）を求め、前記２つの供給量のうち小さい方を採用し、この採用された供給量に基き、外部に放流する前記処理排水の水質を調整することが好ましい。
Ｆ1SS＝｛（ＳＳBase−ＳＳ１）×Ｆ2｝／(ＭＬＳＳ−ＳＳ１)      ・・・（１）
Ｆ1SS：曝気槽から放流槽への排水の供給量（ｍ3／日）
ＭＬＳＳ：曝気槽における排水中の浮遊物質の検出値（ｍｇ／Ｌ）
ＳＳ１：固液分離槽における処理排水中の浮遊物質の検出値（ｍｇ／Ｌ）
ＳＳBase：予め決めておいた外部に放流する処理排水の浮遊物質の基準値（ｍｇ／Ｌ）
Ｆ2：予め決めておいた外部に放流する処理排水の排出流量（ｍ3／日）
Ｆ1BOD＝｛（ＢＯＤBase−ＢＯＤ２）×Ｆ2｝／(ＢＯＤ１−ＢＯＤ２)      ・・・（２）
Ｆ1BOD：曝気槽から放流槽への排水の供給量（ｍ3／日）
ＢＯＤ１：曝気槽における排水中の生物化学的酸素要求量の検出値（ｍｇ／Ｌ）
ＢＯＤ２：放流槽における処理排水中の生物化学的酸素要求量の検出値（ｍｇ／Ｌ）
ＢＯＤBase：予め決めておいた外部に放流する処理排水の生物化学的酸素要求量の基準値（ｍｇ／Ｌ）
Ｆ2：予め決めておいた外部に放流する処理排水の排出流量（ｍ3／日）
【００２２】
本発明の処理装置において、前記水質調整手段は、前述と同様に、前記２つの浮遊物質（ＭＬＳＳ、ＳＳ１）および前記２つの生物化学的酸素要求量（ＢＯＤ１、ＢＯＤ２）のいずれか一方のみを検出し、前記２つの供給量（Ｆ1SS、Ｆ1BOD）のいずれか一方のみを算出し、この算出された供給量に基き、外部に放流する前記処理排水の水質を調整してもよい。
【００２３】
本発明の処理装置において、前記２つの生物化学的酸素要求量（ＢＯＤ１、ＢＯＤ２）の検出手段は、前記曝気槽および前記放流槽において溶存酸素量（ＤＯ）を検出し、前記検出値を生物化学的酸素要求量（ＢＯＤ１、ＢＯＤ２）に換算する手段であることが好ましい。
【００２４】
本発明の処理装置において、前記バイパス流路の途中にバイパス流量調整弁が取り付けられており、前記水質調整手段は、曝気槽導入前の前記排水および曝気処理中の前記排水の少なくとも一方の供給割合を、前記バイパス流量調整弁で調整することが好ましい。
【００２５】
本発明の処理装置において、前記曝気槽と前記固液分離槽とが返送流路によっても連結され、前記固液分離槽には、余剰汚泥の抜き取り流路が連結され、前記固液分離槽において、前記汚泥の一部は、前記返送流路により前記曝気槽に返送され、前記汚泥の残部は、前記余剰汚泥抜き取り流路により抜き取られ、前記曝気槽は、曝気処理中の前記排水の浮遊物質（ＭＬＳＳ）を検出する検出手段を有し、前記水質調整手段は、予め設定された曝気槽における曝気処理中の前記排水の浮遊物質の基準値（ＭＬＳＳBase）と、前記検出手段で検出された検出値とを比較することにより、前記固液分離槽における余剰汚泥の抜き取り量を決定することが好ましい。
【００２６】
本発明の処理装置において、前記曝気槽は、曝気処理中の前記排水の生物化学的酸素要求量（ＢＯＤ１）を検出する検出手段を有し、前記水質調整手段は、前述と同様に、予め設定された曝気槽における生物化学的酸素要求量の基準値（ＢＯＤ１Base）と、前記検出手段により検出された検出値とを比較することにより、前記曝気槽における曝気量を調整することが好ましい。前記曝気量は、例えば、後述のブロア・モータの出力によって調整される。前記曝気量が、前記ブロア・モータの出力によって調整される場合には、例えば、前記ブロア・モータの連続運転や間欠運転によって調整することが可能である。
【００２７】
本発明の処理装置において、前記曝気槽が複数に分割され、これにより曝気処理中の前記排水を曝気処理程度により分けており、前記水質調整手段は、前記分割された曝気槽の少なくとも一つから曝気処理中の前記排水を前記放流槽における前記処理排水に供給してもよい。
【００２８】
本発明の処理装置において、さらに、浮遊物質（ＳＳ）および生物化学的酸素要求量（ＢＯＤ）の検出手段を備える測定槽を有し、この測定槽に、前記曝気槽における曝気処理中の前記排水、前記固液分離槽における前記処理排水および前記放流槽における前記処理排水の少なくとも一つの排水が導入され、前記測定槽の前記検出手段により、前記測定槽に導入された前記排水の浮遊物質（ＳＳ）および生物化学的酸素要求量（ＢＯＤ）の少なくとも一方を検出することが好ましい。
【００２９】
つぎに、本発明の処理方法および処理装置の例について、図面に基づき説明する。ただし、本発明は、以下の例に制限されない。
【００３０】
図１に、本発明の処理装置の構成の一例を示す。図示のように、この装置は、曝気槽１０と、固液分離槽２０と、放流槽３０とを主要構成要素として有し、これらが前記順序で流路（例えば、パイプ）により連結されている。前記固液分離槽２０には、余剰汚泥の抜き取り流路（例えば、パイプ）が連結され、前記余剰汚泥抜き取り流路は、汚泥貯留槽４０に連結されている。さらに、前記曝気槽１０と前記放流槽３０とは、バイパス流路（例えば、パイプ）により連結されている。これらの各流路には、搬送用のポンプが取り付けられていてもよい。前記曝気槽１０は、溶存酸素検出手段１１、浮遊物質検出手段１２、およびブロア・モータ８０を有する。前記固液分離槽２０は、浮遊物質検出手段２２を有する。前記放流槽３０は、溶存酸素検出手段３１および浮遊物質検出手段３２を有する。前記バイパス流路の途中には、バイパス流量調整弁（バルブ）６０およびバイパス流量検出手段５０が取り付けられている。前記余剰汚泥抜き取り流路には、引抜汚泥流量調整弁（バルブ）７０が設けられている。前記放流槽３０は、排出流路と連結しており、前記排出流路には、排出流量検出手段５１が取り付けられている。前記各検出手段には、その用途に応じ、各種センサーが使用可能である。さらに、この装置は、水質調整手段として、データ入力部９０、比較部１００、演算部１１０および出力部１２０を有する。前記データ入力部９０は、浮遊物質入力部９１、溶存酸素入力部９２、換算部９３および流量入力部９４から構成される。つぎに、この装置を用いた排水の処理の一例について、各工程別に説明する。
【００３１】
まず、処理対象である排水を、曝気槽１０に導入する。ここで、前記排水の浮遊物質（ＭＬＳＳ）が前記浮遊物質検出手段１２で検出され、その検出値が、前記浮遊物質入力部９１に送られる。また、前記排水の溶存酸素量（ＤＯ１）が、前記溶存酸素検出手段１１で検出され、その検出値が、前記溶存酸素入力部９２に送られ、さらに、前記換算部９３へと送られる。
【００３２】
前記曝気槽１０において、前記排水中の基質（ＢＯＤ成分）は、前記曝気槽１０内の微生物によって曝気処理され、酸化分解される。なお、前述のとおり、前記曝気槽１０における曝気量は、前記ブロア・モータ８０の出力によって調整される。
【００３３】
つぎに、曝気処理された前記排水を前記固液分離槽２０に導入し、ここで、汚泥と処理排水とに固液分離する。前記固液分離は、例えば、前記汚泥の沈降によるものであってもよいし、膜分離により行うものであってもよい。前記汚泥は、余剰汚泥として前記余剰汚泥抜き取り流路により抜き取られ、前記汚泥貯留槽４０へと導入される。前記汚泥貯留槽４０に導入された汚泥は、系外に取り出され、所定の手段で処理される。なお、前記曝気槽１０と前記固液分離槽２０とを連結する返送流路（例えば、パイプ）を設け、前記汚泥の一部を前記曝気槽１０へと返送してもよい。この場合には、前記曝気槽１０に返送された汚泥（返送汚泥）は、再度、曝気処理に利用される。また、前記処理排水の浮遊物質（ＳＳ１）が前記浮遊物質検出手段２２で検出され、その検出結果が、前記浮遊物質入力部９１に送られる。
【００３４】
つぎに、前記処理排水を、放流槽３０に導入する。ここで、前記処理排水の浮遊物質（ＳＳ２）が前記浮遊物質検出手段３２で検出され、その検出結果が、前記浮遊物質入力部９１に送られる。また、前記処理排水の溶存酸素量（ＤＯ２）が、前記溶存酸素検出手段３１で検出され、その検出結果が、前記溶存酸素入力部９２に送られ、さらに、前記換算部９３に送られる。
【００３５】
つぎに、前記換算部９３において、前記曝気槽の溶存酸素検出手段１１の検出値から、曝気槽における酸素利用速度（Ｒｒ１）を算出する。なお、前記曝気槽の溶存酸素検出手段１１による検出は、例えば、時間をおいて二度行う。前記曝気槽における酸素利用速度（Ｒｒ１）は、下記式（３）によって算出される。
【００３６】
Ｒｒ１＝（ＤＯ１２−ＤＯ１１）／Δｔ12-11      ・・・（３）
Ｒｒ１：曝気槽における酸素利用速度（ｍｇ／Ｌ・時間）
ＤＯ１１：一回目の曝気槽の溶存酸素検出手段の検出値（ｍｇ／Ｌ）
ＤＯ１２：二回目の曝気槽の溶存酸素検出手段の検出値（ｍｇ／Ｌ）
Δｔ12-11：曝気槽での一回目の検出と二回目の検出の間の時間（時間）
【００３７】
また、前記換算部９３において、前記放流槽の溶存酸素検出手段３１の検出値から、放流槽における酸素利用速度（Ｒｒ２）を算出する。なお、前記放流槽の溶存酸素検出手段３１による検出は、例えば、時間をおいて二度行う。前記放流槽における酸素利用速度（Ｒｒ２）は、下記式（４）によって算出される。
【００３８】
Ｒｒ２＝（ＤＯ２２−ＤＯ２１）／Δｔ22-21      ・・・（４）
Ｒｒ２：放流槽における酸素利用速度（ｍｇ／Ｌ・時間）
ＤＯ２１：一回目の放流槽の溶存酸素検出手段の検出値（ｍｇ／Ｌ）
ＤＯ２２：二回目の放流槽の溶存酸素検出手段の検出値（ｍｇ／Ｌ）
Δｔ22-21：放流槽での一回目の検出と二回目の検出の間の時間（時間）
【００３９】
そして、前記換算部９３において、前記曝気槽における酸素利用速度（Ｒｒ１）から、曝気槽における前記排水中の生物化学的酸素要求量（ＢＯＤ１）を算出する。曝気槽における前記排水中の生物化学的酸素要求量（ＢＯＤ１）は、下記式（５）によって算出される。
【００４０】
ＢＯＤ１＝Ｒｒ１×α１      ・・・（５）
ＢＯＤ１：曝気槽における排水中の生物化学的酸素要求量（ｍｇ／Ｌ）
Ｒｒ１：曝気槽における酸素利用速度（ｍｇ／Ｌ・時間）
α１：定数（時間）
【００４１】
上記式（５）において、α１は、装置毎に異なる定数であり、例えば、経験値を使用でき、若しくは実験によって求められる。具体的には、前記定数α１は、例えば、予め調整した生物化学的酸素要求量（ＢＯＤ）の異なる処理排水を曝気槽に投入し、その排水ごとに曝気槽における酸素利用速度（Ｒｒ１）を測定し、前記ＢＯＤと前記Ｒｒ１との相関を求めることで導き出すことができる。
【００４２】
例えば、前記Ｒｒ１が１０ｍｇ／Ｌ・時間であり、前記定数α１が１５０時間である場合、曝気槽における前記排水中の生物化学的酸素要求量（ＢＯＤ１）は、上記式（５）より、１５００ｍｇ／Ｌとなる。
【００４３】
さらに、前記換算部９３において、前記放流槽における酸素利用速度（Ｒｒ２）から、放流槽における前記処理排水中の生物化学的酸素要求量（ＢＯＤ２）を算出する。放流槽における前記処理排水中の生物化学的酸素要求量（ＢＯＤ２）は、下記式（６）によって算出される。
【００４４】
ＢＯＤ２＝Ｒｒ２×α２      ・・・（６）
ＢＯＤ２：放流槽における処理排水中の生物化学的酸素要求量（ｍｇ／Ｌ）
Ｒｒ２：放流槽における酸素利用速度（ｍｇ／Ｌ・時間）
α２：定数（時間）
【００４５】
上記式（６）において、α２は、装置毎に異なる定数であり、例えば、経験値を使用でき、若しくは実験によって求められる。具体的には、前記定数α２は、例えば、予め調整した生物化学的酸素要求量（ＢＯＤ）の異なる処理排水を放流槽に投入し、その処理排水ごとに放流槽における酸素利用速度（Ｒｒ２）を測定し、前記ＢＯＤと前記Ｒｒ２との相関を求めることで導き出すことができる。
【００４６】
例えば、前記Ｒｒ２が２ｍｇ／Ｌ・時間であり、前記定数α２が１５０時間である場合、前記放流槽における生物化学的酸素要求量（ＢＯＤ２）は、上記式（６）より、３００ｍｇ／Ｌとなる。
【００４７】
ここで、外部に放流する前記処理排水の浮遊物質（ＳＳ）の基準値および生物化学的酸素要求量（ＢＯＤ）の基準値を予め設定しておき、前記放流槽の浮遊物質検出手段３２の検出値（ＳＳ２）および放流槽における前記処理排水中の生物化学的酸素要求量（ＢＯＤ２）の少なくとも一方が、前記各基準値と略等しいときには、前記バイパス流量調整弁６０の開度を変えない。一方、前記ＳＳ２および前記ＢＯＤ２が双方とも前記各基準値と異なる場合には、前記バイパス流量調整弁６０の開度の調整を行う。つぎに、前記バイパス流量調整弁６０の開度の調整方法の一例について説明する。
【００４８】
まず、外部に放流する前記処理排水の浮遊物質の基準値（ＳＳBase）および排出流量（Ｆ2）を予め決めておき、前記浮遊物質入力部９１において、前記各基準値および前記曝気槽の浮遊物質検出手段１２の検出値、前記固液分離槽の浮遊物質検出手段２２の検出値から、バイパス流量（Ｆ1SS）を算出する。前記バイパス流量（Ｆ1SS）は、下記式（７）によって算出される。
【００４９】
Ｆ1SS＝｛（ＳＳBase−ＳＳ１）×Ｆ2｝／(ＭＬＳＳ−ＳＳ１)      ・・・（７）
Ｆ1SS：バイパス流量（ｍ3／日）
ＭＬＳＳ：曝気槽の浮遊物質検出手段の検出値（ｍｇ／Ｌ）
ＳＳ１：固液分離槽の浮遊物質検出手段の検出値（ｍｇ／Ｌ）
ＳＳBase：予め決めておいた外部に放流する処理排水における浮遊物質の基準値（ｍｇ／Ｌ）
Ｆ2：予め決めておいた外部に放流する処理排水の排出流量（ｍ3／日）
【００５０】
例えば、前記ＳＳBaseを３００ｍｇ／Ｌ、前記Ｆ2を１００ｍ3／日とし、前記ＭＬＳＳが３０００ｍｇ／Ｌ、前記ＳＳ１が０ｍｇ／Ｌであった場合、前記バイパス流量Ｆ1SSは、上記式（７）より、１０ｍ3／日となる。
【００５１】
前記バイパス流量Ｆ1SSの算出結果は、前記比較部１００へと送られる。
【００５２】
さらに、外部に放流する前記処理排水の生物化学的酸素要求量の基準値（ＢＯＤBase）および排出流量（Ｆ2）を予め決めておき、前記換算部９３において、前記各基準値および曝気槽における前記排水中の生物化学的酸素要求量（ＢＯＤ１）、放流槽における前記処理排水中の生物化学的酸素要求量（ＢＯＤ２）から、バイパス流量（Ｆ1BOD）を算出する。前記バイパス流量（Ｆ1BOD）は、下記式（８）によって算出される。
【００５３】
Ｆ1BOD＝｛（ＢＯＤBase−ＢＯＤ２）×Ｆ2｝／(ＢＯＤ１−ＢＯＤ２)      ・・・（８）
Ｆ1BOD：バイパス流量（ｍ3／日）
ＢＯＤ１：曝気槽における排水中の生物化学的酸素要求量（ｍｇ／Ｌ）
ＢＯＤ２：放流槽における処理排水中の生物化学的酸素要求量（ｍｇ／Ｌ）
ＢＯＤBase：予め決めておいた外部に放流する処理排水の生物化学的酸素要求量の基準値（ｍｇ／Ｌ）
Ｆ2：予め決めておいた外部に放流する処理排水の排出流量（ｍ3／日）
【００５４】
例えば、前記ＢＯＤBaseを３００ｍｇ／Ｌ、前記Ｆ2を１００ｍ3／日とし、前記ＢＯＤ１が１５００ｍｇ／Ｌ、前記ＢＯＤ２が０ｍｇ／Ｌであった場合、前記バイパス流量Ｆ1BODは、上記式（８）より、２０ｍ3／日となる。
【００５５】
前記バイパス流量Ｆ1BODの算出結果は、前記比較部１００へと送られる。
【００５６】
つぎに、前記比較部１００において、送られてきた２つの前記バイパス流量Ｆ1SSおよびＦ1BODの比較が行われ、より小さい方が前記演算部１１０へと送られる。
【００５７】
つぎに、前記バイパス流量検出手段５０により、バイパス流量の実測値が検出され、その検出値が、前記流量入力部９４に送られ、さらに、前記演算部１１０に送られる。
【００５８】
つぎに、前記演算部１１０において、前記バイパス流量Ｆ1SSおよびＦ1BODのより小さい方と、前記バイパス流量検出手段５０によるバイパス流量の実測値とから、前記バイパス流量調整弁６０の適当な開度が演算され、その演算結果が前記出力部１２０に送られる。
【００５９】
つぎに、前記出力部１２０から、前記バイパス流量調整弁６０に出力情報が送られ、前記バイパス流量調整弁６０の開度が調整される。これにより、予め決めておいた外部に放流する前記処理排水の浮遊物質の基準値（ＳＳBase）および予め決めておいた外部に放流する前記処理排水の生物化学的酸素要求量の基準値（ＢＯＤBase）のいずれか一方の値になるように、前記バイパス流路により、前記曝気槽１０から前記放流槽３０へと曝気処理中の前記排水が供給され、前記処理排水と混合される。この結果、水質基準に応じた排水処理が可能となる。なお、前記バイパス流路は、曝気処理中の前記排水のみならず、曝気槽導入前の前記排水にも適用される。このようにして、水質が調整された前記処理排水が、前記放流槽３０から、前記排出流路により、外部へと放流される。この際、前記バイパス流路により供給された前記排水に含まれる浮遊物質の分だけ、前記固液分離工程若しくは前記固液分離槽において抜き取られる余剰汚泥の量を少なくできる。
【００６０】
なお、前記２つの浮遊物質（ＭＬＳＳ、ＳＳ１）および前記２つの生物化学的酸素要求量（ＢＯＤ１、ＢＯＤ２）のいずれか一方のみを検出し、前記２つのバイパス流量（Ｆ1SS、Ｆ1BOD）のいずれか一方のみを算出し、この算出された供給量と前記バイパス流量検出手段５０によるバイパス流量の実測値とから、前記バイパス流量調整弁６０の適当な開度を演算することで、前記バイパス流量調整弁６０の開度を調整してもよい。
【００６１】
また、前記曝気槽１０と前記固液分離槽２０とが返送流路によっても連結されている場合には、曝気槽における曝気処理中の前記排水の浮遊物質の基準値（ＭＬＳＳBase）を予め設定しておき、前記浮遊物質検出手段１２での浮遊物質の実測値（ＭＬＳＳ）が、前記基準値を超える場合には、前記実測値を監視しながら、前記基準値となるまで、前記引抜汚泥流量調整弁７０を少し開けて、前記余剰汚泥抜き取り流路により、前記汚泥貯留槽４０へと余剰汚泥を抜き取ることが好ましい。これにより、前記汚泥を前記曝気槽１０に返送しすぎて、前記曝気槽１０で酸素不足となり、処理効率が落ちることや、前記汚泥貯留槽４０に余剰汚泥を抜き取りすぎてしまい、前記余剰汚泥の処理コストが増大するのを防止することできる。なお、この場合においては、前記余剰汚泥抜き取り流路に流量計を設け、前記実測値が前記基準値を超えた分の浮遊物質を含む量だけ前記余剰汚泥を抜き取ることが好ましい。例えば、前記基準値を３０００ｍｇ／Ｌとし、前記実測値が３５００ｍｇ／Ｌであった場合、前記曝気槽１０の体積が１０ｍ3（＝１０4Ｌ）であれば、（３５００−３０００）ｍｇ／Ｌ×１０4Ｌ＝５×１０6ｍｇの浮遊物質を含む量だけ前記余剰汚泥を抜き取ればよい。ここで、前記曝気槽１０において前記実測値（３５００ｍｇ／Ｌ）である曝気処理中の前記排水が、前記固液分離槽２０において２倍に濃縮されるとすれば、５×１０6ｍｇ／３５００×２ｍｇ／Ｌ≒７００Ｌの前記余剰汚泥を抜き取ればよい。
【００６２】
そして、前記バイパス流量調整弁６０の開度の調整に加えて、前記ブロア・モータ８０の出力を制御することでも、外部に放流する前記処理排水の水質を調整することが可能である。すなわち、曝気槽における生物化学的酸素要求量に基準値（ＢＯＤBase）を予め設定しておき、曝気槽における前記排水中の生物化学的酸素要求量（ＢＯＤ１）が、前記基準値を超える場合には、前記ブロア・モータ８０の出力を大きくすることにより、前記曝気槽１０内の微生物による曝気処理を促進する。この結果、外部に放流する前記処理排水の水質を調整することが可能となる。一方、前記ＢＯＤ１が前記基準値を超えない場合には、前記ブロア・モータ８０の出力を抑えることで、電気代などの前記ブロア・モータ８０の運転コストを抑えることができる。
【００６３】
つぎに、本発明の処理装置の別の例について、図２に基づき説明する。なお、図２において、図１と同一部分には同一符号を付している。
【００６４】
この装置は、測定槽１３０を有し、この測定槽１３０で、各溶存酸素量と浮遊物質とを一括して測定する。前記測定槽１３０は、溶存酸素検出手段１３１および浮遊物質測定手段１３２を有する。図示のように、ポンプ１３３により、前記曝気槽１０から前記測定槽１３０に溶存酸素量および浮遊物質測定用の曝気処理中の前記排水が導入される。ここで、曝気処理中の前記排水の溶存酸素量が、前記溶存酸素検出手段１３１で検出され、その検出値が、溶存酸素入力部９２に送られ、さらに、換算部９３へと送られる。また、曝気処理中の前記排水の浮遊物質が前記浮遊物質検出手段１３２で検出され、その検出値が、浮遊物質入力部９１に送られる。同様に、前記固液分離槽２０からはポンプ１３４により、前記放流槽３０からはポンプ１３５により、それぞれ溶存酸素量および浮遊物質測定用の前記処理排水を前記測定槽１３０導入することができ、前記測定槽１３０において、前記それぞれの処理排水の溶存酸素量および浮遊物質を測定することができる。これにより、溶存酸素検出手段および浮遊物質検出手段の共用化が可能となり、各槽にそれぞれ高価な検出手段を設ける必要がなくなる。その他の工程の操作および条件等は、図１に示した装置と同様である。
【００６５】
なお、図１および図２に示した装置において、前記曝気槽１０を複数に分割することができ、例えば、図３に示すような構成とすることができる。すなわち、図示のとおり、曝気槽１０を、排水の導入される側から、上流、中流、下流の３つに分割し、各部分からバイパス流路を引き出し、その３つのバイパス流路にそれぞれバイパス流量調整弁（６１〜６３）を設け、その先で前記３つのバイパス流路を合流させる。これにより、状況に応じて、バイパス流路への曝気処理中の前記排水の取り出し位置を変えることができるようになる。例えば、放流槽における前記処理排水の生物化学的酸素要求量（ＢＯＤ２）が、放流槽における前記処理排水中の浮遊物質（ＳＳ２）より大きい場合には、微生物による曝気処理が進み生物化学的酸素要求量（ＢＯＤ）がより小さくなっている前記曝気槽１０の下流側の前記バイパス流量調整弁６３から、前記放流槽へと続くバイパス流路に曝気処理中の前記排水を取り込む。一方、例えば、放流槽における前記処理排水の生物化学的酸素要求量（ＢＯＤ２）が、放流槽における前記処理排水の浮遊物質（ＳＳ２）より小さい場合には、微生物による曝気処理があまり進んでおらず生物化学的酸素要求量（ＢＯＤ）の大きい前記曝気槽１０の上流側の前記バイパス流量調整弁６１から、前記放流槽へと続くバイパス流路に曝気処理中の前記排水を取り込む。なお、図３には、前記曝気槽１０を３つの部分に分割した場合を示したが、曝気槽１０の分割は、３つに限られるものではなく、上流、下流の２つに分割することもできるし、４つ以上に分割することも可能である。
【産業上の利用可能性】
【００６６】
本発明の排水の処理方法および処理装置は、その用途は制限されず、例えば、有機性排水の処理に適用できる。
【図面の簡単な説明】
【００６７】
【図１】図１は、本発明の処理装置の一例の構成図である。
【図２】図２は、本発明の処理装置のその他の例の構成図である。
【図３】図３は、本発明の曝気槽の一例の構成図である。
【符号の説明】
【００６８】
１０  曝気槽
１１、３１、１３１  溶存酸素検出手段
１２、２２、３２、１３２  浮遊物質検出手段
２０  固液分離槽
３０  放流槽
４０  汚泥貯留槽
５０  バイパス流量検出手段
５１  排出流量検出手段
６０、６１、６２、６３  バイパス流量調整弁
７０  引抜汚泥流量調整弁
８０  ブロア・モータ
９０  データ入力部
９１  浮遊物質入力部
９２  溶存酸素入力部
９３  換算部
９４  流量入力部
１００  比較部
１１０  演算部
１２０  出力部
１３０  測定槽
１３３、１３４、１３５  ポンプ
【図１】
2006255504.tif 000003
【図２】
2006255504.tif 000004
【図３】
2006255504.tif 000005